(57)【要約】      （修正有）【課題】容易にフィルタ交換ができ、フィルタの落下防止や保護機能をも有し、生産・運用コストを安価なものとするフィルタガード機構を提供する。【解決手段】カメラ本体１４と、開口部が形成されたカメラ用ケース１８と、レンズフィルタ２０とを具備する撮像装置２２において用いるフィルタガード機構１０を、Ｌ字に屈曲し、一方側が取付部２６、他方側がガード部２８からなるフィルタガード本体３０と、調整用ネジ部材３４と、カメラ用ケース１８の側面に設けられ、調整用ネジ部材３４が螺合可能なネジ孔がある固定部材を有し、取付部２６には長円孔、ガード部２８には撮像孔４４が形成され、調整用ネジ部材３４を長円孔に通し、ネジ孔に螺合させることで、取付部２６をカメラ用ケース１８の側面側に取り付け、その状態から締め込むことで、取付部２６をカメラ用ケース１８の側面側に締着させることができるものとした。【選択図】図１
0003206769.tif 000002
【実用新案登録請求の範囲】
【請求項１】
前面にレンズユニットが装着されたカメラ本体と、前面に前記カメラ本体による撮像用の開口部が形成されるとともに、前記カメラ本体を覆うカメラ用ケースと、前記カメラ用ケースの開口部に嵌合されたレンズフィルタと、
を具備する撮像装置において、前記レンズフィルタをガード可能とするフィルタガード機構であって、
前記フィルタガード機構は、
Ｌ字に屈曲し、屈曲部分を境にして、一方側が、前記カメラ用ケースの側面側に取り付けられる取付部、他方側が、前記カメラ用ケースの開口部に嵌合されたレンズフィルタに相対するよう配置されるガード部からなる板状のフィルタガード本体と、
一端にフランジが形成された調整用ネジ部材と、
前記カメラ用ケースの側面に設けられ、前記調整用ネジ部材の他端が螺合可能なネジ孔が形成されている固定部材と、
を有し、
前記取付部には、前記ガード部が、前記レンズフィルタに相対するよう配置された際に、その前後方向となる方向に沿って長円孔が形成され、
前記ガード部には、前記カメラ本体による撮像用の撮像孔が形成され、
前記調整用ネジ部材の他端を前記長円孔に通すとともに、前記固定部材のネジ孔に螺合させることで、前記取付部を前記カメラ用ケースの側面側に位置調整可能に取り付けることができ、且つ、前記調整用ネジ部材を前記固定部材のネジ孔に螺合させた状態から締め込むことで、前記取付部を前記カメラ用ケースの側面側に締着させることができるよう構成されているフィルタガード機構。
【請求項２】
前記固定部材は、前記カメラ用ケースの側面に形成された所定孔に内側から嵌装される板ナットを有し、当該板ナットに形成された前記ネジ孔に前記調整用ネジ部材の他端を螺合させるよう構成されていることを特徴とする請求項１記載のフィルタガード機構。
【請求項３】
前記ガード部には、前記フィルタと対向する面側に所定長の支持棒が複数立設されており、当該支持棒を前記フィルタの外周に当接させることで、当該フィルタを支持固定するよう構成されていることを特徴とする請求項１又は２記載のフィルタガード機構。
【請求項４】
前記板ナットの表面所定位置には、前記取付部の長円孔に嵌挿可能な凸部が形成されており、当該凸部を前記取付部の長円孔の所定位置に嵌挿した状態で、前記調整用ネジ部材の他端を前記長円孔に通すとともに、前記固定部材のネジ孔に螺合させることで、前記ガード部が、前記フィルタと相対する位置に配置固定されるよう構成されていることを特徴とする請求項２又は３記載のフィルタガード機構。
【考案の詳細な説明】
【技術分野】
【０００１】
本考案は、撮像装置に取り付けたレンズフィルタをガードするもので、特に、フィルタの交換作業を安全、且つ、容易にし、さらに、レンズフィルタの保護にも適したフィルタガード機構に関するものである。
【背景技術】
【０００２】
従来から、撮像装置のケース前面から露出するレンズフィルタは、使用環境や、顧客仕様により、その枚数や、種類が変わるため、その都度、レンズフィルタの取り外しや、交換が必要となってくる。
【０００３】
そこで、例えば、特許文献１には、周縁の一点に垂直に植設された支持棒を有するフィルタ本体と、円弧状の外形を有し外周面に上記支持棒が挿入される挿入孔を設けた突起を備え、全体が、ばね性を有する保持バンドと、この保持バンドに円弧方向に摺動自在に取り付けられた補助金具とを備えたことを特徴とするレンズフィルタが開示されている。そして、この技術によれば、レンズフィルタを容易に取り付けることができ、しかも、フィルタの交換も容易にできる効果が生じるとしている。
【先行技術文献】
【特許文献】
【０００４】
【特許文献１】実開昭５６−１１７７３５号公報
【考案の概要】
【考案が解決しようとする課題】
【０００５】
しかしながら、上記特許文献１記載の技術を用いた場合、確かに、レンズフィルタの取り付け、交換は容易にできるが、レンズフィルタ自体は露出しているため、外部からの衝撃等に弱く、また、レンズフィルタが緩んだ際に、落下してしまう可能性があり、更なる改良が求められてきていた。
【０００６】
本考案は、上述の課題を解決するためのもので、撮像装置を用いる現場においても容易にレンズフィルタ交換ができ、レンズフィルタの落下防止や保護機能をも有し、フィルタガード機構の生産コストを安価なものとすることが可能なフィルタガード機構を提供するものである。
【課題を解決するための手段】
【０００７】
上記課題に対応するため、本考案は、以下の技術的手段を講じている。
即ち、請求項１記載の考案は、前面にレンズユニットが装着されたカメラ本体と、前面に前記カメラ本体による撮像用の開口部が形成されるとともに、前記カメラ本体を覆うカメラ用ケースと、前記カメラ用ケースの開口部に嵌合されたレンズフィルタとを具備する撮像装置において、前記レンズフィルタをガード可能とするフィルタガード機構であって、前記フィルタガード機構は、Ｌ字に屈曲し、屈曲部分を境にして、一方側が、前記カメラ用ケースの側面側に取り付けられる取付部、他方側が、前記カメラ用ケースの開口部に嵌合されたレンズフィルタに相対するよう配置されるガード部からなる板状のフィルタガード本体と、一端にフランジが形成された調整用ネジ部材と、前記カメラ用ケースの側面に設けられ、前記調整用ネジ部材の他端が螺合可能なネジ孔が形成されている固定部材とを有し、前記取付部には、前記ガード部が、前記レンズフィルタに相対するよう配置された際に、その前後方向となる方向に沿って長円孔が形成され、前記ガード部には、前記カメラ本体による撮像用の撮像孔が形成され、前記調整用ネジ部材の他端を前記長円孔に通すとともに、前記固定部材のネジ孔に螺合させることで、前記取付部を前記カメラ用ケースの側面側に位置調整可能に取り付けることができ、且つ、前記調整用ネジ部材を前記固定部材のネジ孔に螺合させた状態から締め込むことで、前記取付部を前記カメラ用ケースの側面側に締着させることができるよう構成されているフィルタガード機構である。
【０００８】
そして、請求項２記載の考案は、請求項１記載のフィルタガード機構であって、前記固定部材は、前記カメラ用ケースの側面に形成された所定孔に内側から嵌装される板ナットを有し、当該板ナットに形成された前記ネジ孔に前記調整用ネジ部材の他端を螺合させるよう構成されていることを特徴としている。
【０００９】
また、請求項３記載の考案は、請求項１又は２記載のフィルタガード機構であって、前記ガード部には、前記フィルタと対向する面側に所定長の支持棒が複数立設されており、当該支持棒を前記フィルタの外周に当接させることで、当該フィルタを支持固定するよう構成されていることを特徴としている。
【００１０】
さらに、請求項４記載の考案は、請求項２又は３記載のフィルタガード機構であって、前記板ナットの表面所定位置には、前記取付部の長円孔に嵌挿可能な凸部が形成されており、当該凸部を前記取付部の長円孔の所定位置に嵌挿した状態で、前記調整用ネジ部材の他端を前記長円孔に通すとともに、前記固定部材のネジ孔に螺合させることで、前記ガード部が、前記フィルタと相対する位置に配置固定されるよう構成されていることを特徴としている。
【考案の効果】
【００１１】
本考案によれば、フィルタガードを簡易な作業で動かすことができるため、撮像装置を用いている現場においても容易にレンズフィルタの交換ができ、また、フィルタガードの配置を調整することによりレンズフィルタの落下の防止や、保護も適格に図れる。さらに、複雑な構成を必要としないことから、フィルタガード機構自体の生産コストも下げることが可能となる。
【図面の簡単な説明】
【００１２】
【図１】本考案に係るフィルタガード機構の実施形態において、フィルタガード本体の取付部をカメラ用ケースの側面側に取り付けた状態を示したもので、（ａ）は正面図、（ｂ）は背面図、（ｃ）は平面図、（ｄ）は左側面図、（ｅ）は斜視図である。
【図２】本考案に係るフィルタガード機構の実施形態において、フィルタガード本体の取付部をカメラ用ケースの側面側に取り付け、ガード部を下方向に向けた状態を示したもので、（ａ）は正面図、（ｂ）は背面図、（ｃ）は平面図、（ｄ）は左側面図、（ｅ）は斜視図である。
【図３】本考案に係るフィルタガード機構の実施形態におけるフィルタガード本体を示したもので、（ａ）は正面図、（ｂ）は右側面図、（ｃ）は平面図、（ｄ）は左側面図、（ｅ）は底面図、（ｆ）は背面図、（ｇ）は斜視図である。
【図４】本考案に係るフィルタガード機構の実施形態を示したもので、各構成の分解斜視図を表している。
【図５】本考案に係るフィルタガード機構の実施形態を示したもので、フィルタガード本体の取付部をカメラ用ケースの側面に取り付けた状態の部分断面斜視図を表している。
【図６】本考案に係るフィルタガード機構の実施形態におけるフィルタガード本体の取り付け位置を調整する流れを示したもので、（ａ）はレンズフィルタが２枚の場合での取り付け位置、（ｂ）はレンズフィルタが４枚の場合での取り付け位置を示した側面概略図である。
【考案を実施するための形態】
【００１３】
以下、本考案に係るフィルタガード機構の実施形態について、図面を参照しながら説明する。
図１は、本考案に係るフィルタガード機構の実施形態を示したもので、（ａ）は正面図、（ｂ）は背面図、（ｃ）は平面図、（ｄ）は左側面図、（ｅ）は斜視図で、図２は、本考案に係るフィルタガード機構の実施形態において、フィルタガード本体の取付部をカメラ用ケースの側面側に取り付け、ガード部を下方向に向けた状態を示したもので、（ａ）は正面図、（ｂ）は背面図、（ｃ）は平面図、（ｄ）は左側面図、（ｅ）は斜視図である。
【００１４】
さらに、図３は、本考案に係るフィルタガード機構の実施形態におけるフィルタガード本体を示したもので、（ａ）は正面図、（ｂ）は右側面図、（ｃ）は平面図、（ｄ）は左側面図、（ｅ）は底面図、（ｆ）は背面図、（ｇ）は斜視図で、図４は、本考案に係るフィルタガード機構の実施形態を示したもので、各構成の分解斜視図を表している。さらに、図５は、本考案に係るフィルタガード機構の実施形態を示したもので、フィルタガード本体の取付部をカメラ用ケースの側面に取り付けた状態の部分断面斜視図を表している。
【００１５】
なお、符号については、１０がフィルタガード機構、１２がレンズユニット、１４がカメラ本体、１６が開口部、１８がカメラ用ケース、２０がレンズフィルタ、２２が撮像装置、２４が屈曲部分、２６が取付部、２８がガード部、３０がフィルタガード本体、３２がフランジ、３４が調整用ネジ部材、３６がネジ孔、３８が固定部材、４０が板ナット、４２が長円孔、４４が撮像孔、４６が支持棒、４８がノルトロックワッシャー、５０が抜け止めワッシャー、５２が凸部を示している。
【００１６】
まず、本実施形態におけるフィルタガード機構１０は、図１、２に示すように、前面（図１（ａ）、図２（ａ）においては、左方向）にレンズユニット１２が装着されたカメラ本体１４と、前面にカメラ本体１４による撮像用の開口部１６が形成されるとともに、カメラ本体１４を覆うカメラ用ケース１８と、カメラ用ケース１８の開口部１６に嵌合されたレンズフィルタ２０とを具備する撮像装置２２において、レンズフィルタ２０をガード可能とするものである。
【００１７】
ここで、フィルタガード機構１０は、図３に示すように、平面視Ｌ字に屈曲し、屈曲部分２４を境にして、一方側が、カメラ用ケース１８の側面側に取り付けられる取付部２６、他方側が、カメラ用ケース１８の開口部１６に嵌合されたレンズフィルタ２０に相対するよう配置されるガード部２８からなる板状のフィルタガード本体３０を有している。
【００１８】
そして、さらに、図４、５に示すように、一端にフランジ３２が形成された調整用ネジ部材３４と、カメラ用ケース１８の側面に設けられ、調整用ネジ部材３４の他端が螺合可能なネジ孔３６が形成されている固定部材３８を有している。
【００１９】
またさらに、図３に示すように、取付部２６には、ガード部２８が、レンズフィルタ２０に相対するよう配置された際に、その前後方向となる方向に沿って長円孔４２が形成され、ガード部２８には、カメラ本体１４による撮像用の撮像孔４４が形成されている。
【００２０】
そして、図４に示すように、調整用ネジ部材３４の他端を長円孔４２に通すとともに、固定部材３８のネジ孔３６に螺合させることで、取付部２６をカメラ用ケース１８の側面側に位置調整可能に取り付けることができ、且つ、図５に示すように、調整用ネジ部材３４を固定部材３８のネジ孔３６に螺合させた状態から締め込むことで、取付部２６をカメラ用ケース１８の側面側に締着させることができるよう構成されている。
【００２１】
続いて、本実施形態におけるフィルタガード機構１０について、より詳細に説明する。本実施形態におけるフィルタガード機構１０は、図４に示すように、フィルタガード本体３０と、調整用ネジ部材３４と、固定部材３８を主な構成要素とし、フィルタガード本体３０の取付部２６をカメラ用ケース１８の側面側に取り付ける際には、フィルタガード本体３０の取付部２６に形成されている長円孔４２に調整用ネジ部材３４の他端側を通し、さらに、そのまま固定部材３８のネジ孔３６に螺合させる。
【００２２】
この時、フランジ３２と、固定部材３８の間に所定の間隙ができる程度に調整用ネジ部材３４の他端をネジ孔３４に螺合させた状態にしておけば、フィルタガード本体３０の位置調整が可能となる（調整用ネジ部材３４の他端を軸中心に回転させる。または、調整用ネジ部材３４の他端を長円孔４２にてスライドさせることで、前後方向に移動させる）。例えば、レンズフィルタ２０を交換する際には、フランジ３２と、固定部材３８の間に所定の間隙ができるように締め具合を調整し、図２に示すように、ガード部２８を下方向に向ける。
【００２３】
また、図４に示す固定部材３８の表面に形成されている凸部５２を取付部２６の長円孔４２に所定位置に嵌挿した状態で、調整用ネジ部材３４の他端を長円孔４２に通すとともに、固定部材３８のネジ孔３４に螺合させることで、フィルタガード本体３０が、長円孔４２において、調整用ネジ部材３４と、凸部５２の２点で支えられることになり、そのため、ガード部２８が、レンズフィルタ２０と相対する位置に配置固定させることができるようになっている。
【００２４】
そして、その状態で、調整用ネジ部材３４の他端を長円孔４２に通すとともに、固定部材３８のネジ孔３４に螺合させ、さらに締め込むことで、図１や、図５に示すように、ガード部２８が、レンズフィルタ２０と相対する位置にて、フィルタガード本体３０を固定させることができる。
【００２５】
なお、本実施形態においては、図４、５に示すように、固定部材３８は、ネジ孔３６が形成された板ナット４０を主な構成要素としており、板ナット４０の裏側から、抜け止めワッシャー５０を当て込み、その状態で、ノルトロックワッシャー４８とともに、調整用ネジ部材３４を板ナット４０の表側から締め込むことにより、フィルタガード本体３０を固定させる。このように、ノルトロックワッシャー４８により緩みを防止し、抜け止めワッシャー５０により調整用ネジ部材３４の落下を防止することができるようになっている。
【００２６】
また、本実施形態においては、図４に示すように、固定部材３８の板ナット４０は、カメラ用ケース１８の側面に形成された所定孔に内側から嵌装されてなり、その状態のまま、ネジ（図示せず）によって内側から固定されている。なお、その際には、板ナット４０の表面に形成されている凸部５２がカメラ用ケース１８の前方向の位置となるように固定しておく。
【００２７】
つまり、凸部５２がカメラ用ケース１８の前方向の位置となるように板ナット４０を固定しておけば、フィルタガード本体３０を適切な位置に配置することができるわけである。なお、図３に示すように、フィルタガード本体３０のガード部２８は、撮像孔４４が形成されているが、この撮像孔４４は、フィルタガード本体３０を適切な位置に配置した際に、カメラ本体１４による撮像の邪魔にならない大きさとすることが必要である。
【００２８】
さらに、フィルタガード本体３０のガード部２８のレンズフィルタ２０と対向する面側に立設された４本の支持棒４６は、フィルタガード本体３０を適切な位置に配置することで、レンズフィルタ２０の外周面の適切な箇所に当接し、レンズフィルタ２０の落下の防止等の役割を果たすことができる。また、例えば、フィルタガード本体３０のガード部２８の屈曲部分２４に対向する端部側に、取付部２６と相対する方向に補助的なガード部を延設させることで、レンズフィルタ２０の保護の向上が図ることも可能である。
【００２９】
続いて、本実施形態におけるフィルタガード機構１０の動作等について図面を参照しながら説明する。本実施形態におけるフィルタガード機構１０は、図１に示すように、カメラ用ケース１８の開口部１６に嵌合されたレンズフィルタ２０の保護や、取り付けたレンズフィルタ２０が緩んだ際の落下防止等を目的とするものある。
【００３０】
そして、まず、図４、５に示すように、フィルタガード本体３０を固定配置する際に、固定部材３８の構成部品である板ナット４０の表面に形成されている凸部５２を長円孔４２に嵌挿し、ガード部２８のレンズフィルタ２０と対向する面側に立設された４本の支持棒４６が、レンズフィルタ２０の外周面にそれぞれ当接する位置となるよう調整し、その状態で、さらに、調整用ネジ部材３４の他端側を長円孔４２に通すとともに、固定部材３８のネジ孔３６に螺合させ、フランジ３２をもって回転させてネジ締めすることによりフィルタガード本体３０を固定する。
【００３１】
ここで、例えば、レンズフィルタを２枚重ねで取り付ける場合には、図６（ａ）に一例として示されている位置にてフィルタガード本体３０を取り付け、また、フィルタを４枚重ねで取り付ける場合には、図６（ｂ）に一例として示されている位置にてフィルタガード本体３０を取り付け、ガード部２８に立設されている支持棒４６がレンズフィルタ２０の外周面にそれぞれ当接するように配置させる。このように、支持棒４６をレンズフィルタ２０の外周面に当接させることで、レンズフィルタ２０の保護や、落下を防止することができるわけである。
【００３２】
次に、例えば、レンズフィルタ２０を２枚重ねのもの状態から、４枚重ねのものへと交換する際には、まず、調整用ネジ部材３４を緩め、フィルタガード本体３０をサイドに（フランジ３２側に）ずらすことで取付部２６に形成されている長円孔４２から凸部５２を外し、図２に示すように、フィルタガード本体３０のガード部２８を下方向へと向かせる。つまり、長円孔４２が、調整用ネジ部材３４に軸支されることで、ぶら下がった状態（フリー状態）にする。
【００３３】
このフリー状態において、レンズフィルタを４枚重ねのものへと交換し、再び、長円孔４２に凸部５２を嵌挿するとともに、ガード部２８に立設されている支持棒４６がレンズフィルタ２０の外周面にそれぞれ当接するように配置させ（図６（ｂ）に示す位置）、調整用ネジ部材３４をネジ締めすることで、レンズフィルタの交換が完了することになる。  
【産業上の利用可能性】
【００３４】
本考案に係るフィルタガード機構は、容易にレンズフィルタの交換ができ、さらに、レンズフィルタの落下防止や保護機能をも有する機構であるため、撮像装置を用いるあらゆる現場において、好適に用いることができる。また、生産コストを下げることが可能な機構であるため、フィルタガード機構自体の製造コストや、運用面でのコストを抑えたい事情にも対応できる。
【符号の説明】
【００３５】
１０  フィルタガード機構
１２  レンズユニット
１４  カメラ本体
１６  開口部
１８  カメラ用ケース
２０  レンズフィルタ
２２  撮像装置
２４  屈曲部分
２６  取付部
２８  ガード部
３０  フィルタガード本体
３２  フランジ
３４  調整用ネジ部材
３６  ネジ孔
３８  固定部材
４０  板ナット
４２  長円孔
４４  撮像孔
４６  支持棒
４８  ノルトロックワッシャー
５０  抜け止めワッシャー
５２  凸部
【図１】
0003206769.tif 000003
【図２】
0003206769.tif 000004
【図３】
0003206769.tif 000005
【図４】
0003206769.tif 000006
【図５】
0003206769.tif 000007
【図６】
0003206769.tif 000008
【手続補正書】
【提出日】平成28年8月4日(2016.8.4)
【手続補正１】
【補正対象書類名】実用新案登録請求の範囲
【補正対象項目名】全文
【補正方法】変更
【補正の内容】
【実用新案登録請求の範囲】
【請求項１】
前面にレンズユニットが装着されたカメラ本体と、前面に前記カメラ本体による撮像用の開口部が形成されるとともに、前記カメラ本体を覆うカメラ用ケースと、前記カメラ用ケースの開口部に嵌合されたレンズフィルタと、
を具備する撮像装置において、前記レンズフィルタをガード可能とするフィルタガード機構であって、
前記フィルタガード機構は、
Ｌ字に屈曲し、屈曲部分を境にして、一方側が、前記カメラ用ケースの側面側に取り付けられる取付部、他方側が、前記カメラ用ケースの開口部に嵌合されたレンズフィルタに相対するよう配置されるガード部からなる板状のフィルタガード本体と、
一端にフランジが形成された調整用ネジ部材と、
前記カメラ用ケースの側面に設けられ、前記調整用ネジ部材の他端が螺合可能なネジ孔が形成されている固定部材と、
を有し、
前記取付部には、前記ガード部が、前記レンズフィルタに相対するよう配置された際に、その前後方向となる方向に沿って長円孔が形成され、
前記ガード部には、前記カメラ本体による撮像用の撮像孔が形成され、
前記調整用ネジ部材の他端を前記長円孔に通すとともに、前記固定部材のネジ孔に螺合させることで、前記取付部を前記カメラ用ケースの側面側に位置調整可能に取り付けることができ、且つ、前記調整用ネジ部材を前記固定部材のネジ孔に螺合させた状態から締め込むことで、前記取付部を前記カメラ用ケースの側面側に締着させることができるよう構成されているフィルタガード機構。
【請求項２】
前記固定部材は、前記カメラ用ケースの側面に形成された所定孔に内側から嵌装される板ナットを有し、当該板ナットに形成された前記ネジ孔に前記調整用ネジ部材の他端を螺合させるよう構成されていることを特徴とする請求項１記載のフィルタガード機構。
【請求項３】
前記板ナットの表面所定位置には、前記取付部の長円孔に嵌挿可能な凸部が形成されており、当該凸部を前記取付部の長円孔の所定位置に嵌挿した状態で、前記調整用ネジ部材の他端を前記長円孔に通すとともに、前記固定部材のネジ孔に螺合させることで、前記ガード部が、前記レンズフィルタと相対する位置に配置固定されるよう構成されていることを特徴とする請求項２記載のフィルタガード機構。
【請求項４】
前記ガード部には、前記レンズフィルタと対向する面側に所定長の支持棒が複数立設されており、当該支持棒を前記レンズフィルタの外周に当接させることで、当該レンズフィルタを支持固定するよう構成されていることを特徴とする請求項１〜３いずれか１項記載のフィルタガード機構。
【手続補正２】
【補正対象書類名】明細書
【補正対象項目名】０００９
【補正方法】変更
【補正の内容】
【０００９】
また、請求項３記載の考案は、請求項２記載のフィルタガード機構であって、前記板ナットの表面所定位置には、前記取付部の長円孔に嵌挿可能な凸部が形成されており、当該凸部を前記取付部の長円孔の所定位置に嵌挿した状態で、前記調整用ネジ部材の他端を前記長円孔に通すとともに、前記固定部材のネジ孔に螺合させることで、前記ガード部が、前記レンズフィルタと相対する位置に配置固定されるよう構成されていることを特徴としている。
【手続補正３】
【補正対象書類名】明細書
【補正対象項目名】００１０
【補正方法】変更
【補正の内容】
【００１０】
さらに、請求項４記載の考案は、請求項１〜３何れか１項記載のフィルタガード機構であって、前記ガード部には、前記レンズフィルタと対向する面側に所定長の支持棒が複数立設されており、当該支持棒を前記レンズフィルタの外周に当接させることで、当該レンズフィルタを支持固定するよう構成されていることを特徴としている。